(57)【特許請求の範囲】
【請求項１】
底板部によって支持されている平行状の枠板部１９、１９によって上方を開口状とする函形状の本体ａ内に配設する細長く正面よりみて樋形状もしくは湾曲形状のコイルガイド１内に搬送コイル８を挿入し、且前記コイルガイド１の左右両サイドの上方端部１ａより高く、且前記本体ａを構成する前記枠板部１９、１９の内側面に前記搬送コイル８の方向に対向状に若干突設する搬送物品ｂの受け部１５を設け、前記搬送コイル８の一端部を駆動用モーター１３によって駆動する軸部１４と接続し、前記搬送コイル８の他端部は開口状態となし、前記搬送コイル８を構成する各線材９間にビデオテープ、ＤＶＤ、包装状雑誌を挟み、各線材９から若干はみ出した前記物品ｂの端部は前記受け部１５によって支承せしめ、前記搬送コイル８の底面１１が接触する前記コイルガイド１の底部３に前記コイルガイド１の長さ方向にテープ状滑り部７を貼着せしめ、前記受け部１５の上面に載置し、且前記枠板部１９、１９の内側面に密着するスペーサー２１を設け、前記物品の前記搬送コイル８の端部からの払出し時にスイッチングしてモーター１３をＯＦＦにするリミットスイッチ１６を所定の個所に装着せしめることを特徴とするビデオテープ、ＤＶＤ、雑誌の払出し装置。
【発明の詳細な説明】
【０００１】
【発明の属する技術分野】
本発明は、景品としてのビデオテープ、ＤＶＤ、雑誌の払出し装置の技術分野に関するものである。
【０００２】
【従来の技術】
従来、景品を予めリング等に吊るし、そのリングを細長形状のコイルに引掛け吊るし、前記コイルを回転しながら前記景品を順次搬送せしめ払出す機構の特許第３２０５７３９号（順送コイルハンガー）がある。
【０００３】
前記特許の要旨は、順送コイルハンガー１に、景品を吊下げたリング６をコイル２のピッチ毎に予め掛けおき、さらに前記コイル２を回転し、前記リング６を順送し、コイルから外れた前記の景品リングがスイッチレバーを押下して落下する等の構成であった。
【０００４】
さらに前記特許公報の「従来の技術」に関する説明中において、従来の景品獲得ゲーム機等では、景品をコイルハンガーに吊して保管する。ゲームの結果等で獲得された景品を移送、送出する場合は、コイルを回転して、吊した景品を移送し、コイル端から放出して取り出し口へ導入する構造が多い。…との説明がある。
【０００５】
従って、従来の景品獲得ゲーム機等においては、景品をコイルハンガーに吊して移送、送出することを基本としており、コイル技術を利用することは公知であった。
【０００６】
【発明が解決しようとする課題】
本発明は、遊技機等と連動もしくは別設するビデオテープ、ＤＶＤ、雑誌等の比較的大型にして、しかも重量のあるものを、搬送コイルに余り大きな負荷をかけずに、スムーズに順送せしめ払出すことを可能にした。
【０００７】
さらに本発明は、前記のように大型で、且相当大きな重量のある景品物品の収納時の間隔を狭めて空間占拠率を極力節減せしめ払出しを可能にした。
【０００８】
また本発明は、大型で、しかも重量の大きい前記物品を搬送時において、左右両サイドのみを支承せしめて搬送コイルにできるだけ負担をかけないようにして、前記コイルの回転をスムーズにした。
【０００９】
さらに本発明は、前記大型でしかも重量の大きい前記物品の搬送時において、前記物品の左右両サイドへの揺動を阻止し、挿入時の状態を確保しながらスムーズに搬送できるようにした。
【００１０】
また本発明は、前記物品の両サイドを支承する受け部に滑り易い手段を構じて、前記搬送コイルの負荷を軽減し、しかも回転をスムーズにすると共に、前記物品の払出しをスムーズにした。
【００１１】
さらに本発明は、コイルガイドの底部の一部分のみの表面に搬送コイルを接触させて、前記コイルの回転時の摩擦力を著しく減少せしめ、前コイルの回転をスムーズにし、装置の故障を防止した。
【００１２】
【課題を解決するための手段】
請求項１記載の発明は、底板部によって支持されている平行状の枠板部１９、１９によって上方を開口状とする函形状の本体ａ内に配設する細長く正面よりみて樋形状もしくは湾曲形状のコイルガイド１内に搬送コイル８を挿入し、且前記コイルガイド１の左右両サイドの上方端部１ａより高く、且前記本体ａを構成する前記枠板部１９、１９の内側面に前記搬送コイル８の方向に対向状に若干突設する搬送物品ｂの受け部１５を設け、前記搬送コイル８の一端部を駆動用モーター１３によって駆動する軸部１４と接続し、前記搬送コイル８の他端部は開口状態となし、前記搬送コイル８を構成する各線材９間にビデオテープ、ＤＶＤ、包装状雑誌を挟み、各線材９から若干はみ出した前記物品ｂの端部は前記受け部１５によって支承せしめ、前記搬送コイル８の底面１１が接触する前記コイルガイド１の底部３に前記コイルガイド１の長さ方向にテープ状滑り部７を貼着せしめ、前記受け部１５の上面に載置し、且前記枠板部１９、１９の内側面に密着するスペーサー２１を設け、前記物品の前記搬送コイル８の端部からの払出し時にスイッチングしてモーター１３をＯＦＦにするリミットスイッチ１６を所定の個所に装着せしめることを特徴とするビデオテープ、ＤＶＤ、雑誌の払出し装置である。
【００１３】
【発明の実施の形態】
請求項１記載の発明に関する実施の形態は、以下のとおり一括して説明する。
【００１４】
ａは図面におけるビデオテープ、ＤＶＤ、雑誌（包装）の払出し装置を構成する本体であり、上方を開口状にして、且函形状である。この本体ａ内に所定長さで、且細長く、正面よりみて樋形状もしくは湾曲形状のコイルガイド１を配設する。そして前記コイルガイド１の一端部は開口状に形成する。２は前記本体ａを固定する垂直状のプレートである。前記コイルガイド１は一端部をプレート２に密着し、前記ガイド１の底部３は前記本体ａの底部４に固定する。５は前記ガイド１の開口部の他端部である。前記コイルガイド１の底部３に、ガイド１の長さ方向にテープ状の滑り部７を貼着する。
【００１５】
さらに前記コイルガイド１内に、前記ガイド１の長さより若干長く、折曲しにくい太さの線材９を円形に巻き込み形成した搬送コイル８を挿入する。そして前記コイル８の一端部６に線材９を折曲し延設する接続杆１０を延設し、他端部は、円形に折曲した線材９を途中でカットする。
【００１６】
前記コイル８と滑り部７との関係は、滑り部７に前記コイル８の底面１１が常時載置した状態となっている。そのため前記コイル８が搬送のため回転すると、前記コイル８の摩擦抵抗値が極力小となって回転をスムーズにする。１２は各線材９間に形成された間隙部である。この間隙部１２は、物品ｂの大きさによってピッチが若干異なる。
【００１７】
１３は前記プレート２の外側に装着せしめた駆動用モーターであり、このモーター１３には、ギヤー（図示していない）を接続する。１４は前記モーター１３によって駆動する軸部であり、この軸部１４と前記搬送コイル８の接続杆１０とを接続する。前記モーター１３が駆動すると前記コイル８は回転する。１５は前記コイルガイド１の左右両サイドに設けた受け部であり、この高さは前記コイルガイド１の上方端部１ａより若干高くする。そして前記コイルガイド１の表面に滑りやすく加工する。その加工手段として、前記コイルガイド１等の長手方向と比例する凹凸状部を形成してもよい。
【００１８】
ｂはビデオテープ、ＤＶＤ、包装状雑誌等の景品物品である。
【００１９】
１６はコード１７によって接続されている前記物品ｂの払出し時にスイッチングを行いモーター１３をＯＦＦにする端子１８付きリミットスイッチである。
【００２０】
１９は前記受け部１５の外側方に位置し、且前記景品物品ｂの両サイドの揺動を阻止する内側面２０有し、前記コイルガイド１の両外側に立設する前記本体ａの構成部材である底板部１９ａによって支持されている枠板部である。両枠板部１９の一端部には、前記プレート２を貼着し、両枠板部１９を固定する。
【００２１】
２１は物品受け部１５の上面に載置し、且前記枠板部１９の内側面に密着させたスペーサーである。このスペーサー２１は、物品ｂの長さによって着脱する。
【００２２】
前記枠板部１９とスペーサー２１の内側面は、前記物品ｂの両端部が滑りやすいように、例えば長手方向と平行する凹凸部（図示しない）を複数形成してもよい。
【００２３】
なお、前記搬送コイル８は、搬送回転時に回転ブレを起させないようにするために、線材９の径が太めのものを使用する。
【００２４】
以上の構成からなる景品の払出し装置は、通常ゲーム機等に単体にセットして使用するが、しかし、複数台のものをセットにして使用してもよい。
【００２５】
さらに、ゲーム機等と別個に本発明の払出し装置を単体もしくは複数台をセットにして使用してもよい。
【００２６】
つぎに本発明の払出し装置の使用方法について説明する。
【００２７】
景品物品ｂをセッティングするには、物品を搬送コイル８の複数の線材９の間隙部１２に、挟み込んでやる。そのとき前記各物品ｂの底面が受け部１５上に載置し、且前記各物品ｂの両サイドが前記枠板部１９の内側面に接触するか、しないかの僅かな間隙部を残す程度である。
【００２８】
上記のように複数の物品ｂは、間隙部１２内に順次収納されると、物品ｂは若干傾斜状態になる。そして前記物品ｂは、搬送コイル８の下方のテープ状の滑り部７の長手方向に対し、直角状ではなく、図面図示のとおり若干斜め状態となっている。即ち搬送コイル８の特性上当然のことである。
【００２９】
上記の物品ｂにおいて、幅員が大きいときは、スペーサー２１を外してやる。その結果物品ｂの両サイドが枠板部１９の内側面に当接するかしないかの間隙を残してセットされる。
【００３０】
以上が物品ｂのセッティングの手段である。
【００３１】
つぎに各構成部材の動作を説明すると以下のとおりである。
【００３２】
遊技機等において大当り点数信号が出力されると、制御ボックス内のモーター１３が駆動し、搬送コイル８が回転する。そのとき前記搬送コイル８は、コイルガイド１内を回転時に発生するブレ現象を阻止されながら順次回転する。同時に前記搬送コイル８は、テープ状滑り部７によって一部の底面１だけが載置し、摩擦しながら回転する。そして間隙部１２に挟まれている物品ｂは、順次搬送され、前記搬送コイル８の他端部に差しかかると、落下する。落下時に前記物品ｂがリミットスイッチ１６の端子１８に接触し、この接触によって前記リミットスイッチ１６を動作せしめ、モーター１３の停止信号を出力してモーター１３を停止する。同時に搬送コイル８の回転も停止する。
【００３３】
また上記のように間隙部１２に挟まれ搬送コイル８よりはみ出している物品ｂの底面は、受け部１５によって支承されている。さらに搬送コイル８の回転時には、物品ｂが受け部１５の上面に設けた滑り止め部によって、左右に移動することなく、スムーズに搬送される。
【００３４】
さらに前記物品ｂは、間隙部１２に挟まれ収納されてもコイルガイド１の上面に当らないので、物品ｂとコイルガイド１との間に摩擦抵抗がなく、前記コイル８の回転はスムーズである。
【００３５】
【発明の効果】
請求項１記載の発明は、底板部によって支持されている平行状の枠板部１９、１９によって上方を開口状とする函形状の本体ａ内に配設する細長く正面よりみて樋形状もしくは湾曲形状のコイルガイド１内に搬送コイル８を挿入し、且前記コイルガイド１の左右両サイドの上方端部１ａより高く、且前記本体ａを構成する前記枠板部１９、１９の内側面に前記搬送コイル８の方向に対向状に若干突設する搬送物品ｂの受け部１５を設け、前記搬送コイル８の一端部を駆動用モーター１３によって駆動する軸部１４と接続し、前記搬送コイル８の他端部は開口状態となし、前記搬送コイル８を構成する各線材９間にビデオテープ、ＤＶＤ、包装状雑誌を挟み、各線材９から若干はみ出した前記物品ｂの端部は前記受け部１５によって支承せしめ、前記搬送コイル８の底面１１が接触する前記コイルガイド１の底部３に前記コイルガイド１の長さ方向にテープ状滑り部７を貼着せしめ、前記受け部１５の上面に載置し、且前記枠板部１９、１９の内側面に密着するスペーサー２１を設け、前記物品の前記搬送コイル８の端部からの払出し時にスイッチングしてモーター１３をＯＦＦにするリミットスイッチ１６を所定の個所に装着せしめるビデオテープ、ＤＶＤ、雑誌の払出し装置なので、比較的重量が大で、形状全体も大型の景品物品を、搬送コイルの回転を利用し、前記コイルの負担を最小限にしてスムーズに搬送できる。
【００３６】
さらに本発明は、搬送コイルの回転時に発生するブレ現象を押えて回転搬送をスムーズにすると共に、前記受け部によって、前記コイルからはみ出している物品の底部のみを載置して、前コイルの負担を軽減し、前記物品の搬送をスムーズにした。
【００３７】
前記コイルガイドは、湾曲形状とするビデオテープ、ＤＶＤ、雑誌の払出し装置なので、搬送コイルは外径が比例し、回転時にブレたりしない。従ってスムーズに回転できる利点がある。
【００３８】
前記コイルガイドは、前記搬送コイルの底面部が接触する位置にテープ状滑り部を貼着せしめるビデオテープ、ＤＶＤ、雑誌の払出し装置なので、搬送コイルの接触面が底部のみとなって、摩擦抵抗を節減せしめ、前記コイルの回転をスムーズにする。
【００３９】
前記受け部の高さは、各線材間に挟まれた前記ビデオテープ、ＤＶＤ、雑誌が垂直状態を確保できる程度とするビデオテープ、ＤＶＤ、雑誌の払出し装置なので、物品の搬送を阻害しない。
【００４０】
前記受け部の外側に、前記受け部と平行状の枠板部を設けるビデオテープ、ＤＶＤ、雑誌の払出し装置なので、物品の搬送時のブレを未然に阻止し、しかも搬送コイルの回転搬送を阻害しない。
【００４１】
前記受け部の外側に、受け部の高さより若干高い形状のスペーサーを設けるビデオテープ、ＤＶＤ、雑誌の払出し装置なので、物品の形状に応じて適宜調節できる。
【００４２】
前記受け部は、前記コイルガイドの高さより若干高くしたビデオテープ、ＤＶＤ、雑誌の払出し装置なので、線材間に収納した場合の接続面を極力少にして、搬送コイルの搬送時の回転負担を軽減した。
【図面の簡単な説明】
【図１】  本発明ビデオテープ、ＤＶＤ、雑誌の払出し装置の正面図である。
【図２】  図１の縦断面図である。
【図３】  図１の平面図である。
【符号の説明】
ａ      本体
ｂ      物品
１      コイルガイド
１ａ    上方端部
２      プレート
３      底部
４      底部
５      他端部
６      一端部
７      滑り部
８      搬送コイル
９      線材
１０    接続杆
１１    底面
１２    間隙部
１３    モーター
１４    軸部
１５    受け部
１６    リミットスイッチ
１７    コード
１８    端子
１９    枠板部
１９ａ  底板部
２０    内側面
２１    スペーサー
【図１】
0003671903.tif 000002
【図２】
0003671903.tif 000003
【図３】
0003671903.tif 000004